(57)【要約】【課題】乗かご内の様子が適切に記録されているか否かの確認に適した映像データの再生開始位置を、自動的に設定することができるエレベータ乗かご内監視装置の提供。【解決手段】監視カメラ40からの撮影信号を映像データに変換してＳＤカード55に記録する記録装置50は、保守端末装置70との通信可能な接続を検知する通信処理部65と、ＳＤカード55に記録された映像データの再生開始位置を設定する再生開始位置設定処理部66とを備え、再生開始位置設定処理部66は、記録装置50と保守端末装置70との通信可能な接続が通信処理部65により検知された時点から所定時間前にＳＤカード55に記録された映像データを、保守端末装置70により再生される際の再生開始位置に設定し、通信処理部65は、保守端末装置70から映像データを要求された場合に、再生開始位置設定処理部66により設定された再生開始位置から後の映像データを保守端末装置70に送信する。【選択図】図３
2015016918.tif 000002
【特許請求の範囲】
【請求項１】
乗かご内の様子を撮影信号に変換して出力する監視カメラと、この監視カメラから出力された撮影信号を映像データに変換して記録媒体に記録する記録装置とを備えるエレベータ乗かご内監視装置において、
前記記録装置は、情報機器と通信可能に接続されたことを検知する通信処理部と、前記記録媒体に記録された映像データの再生開始位置を設定する再生開始位置設定処理部とを備え、
前記再生開始位置設定処理部は、前記記録装置と前記情報機器との通信可能な接続が前記通信処理部により検知された時点から所定時間前に前記記録媒体に記録された映像データを、前記記録媒体に記録された映像データが前記情報機器により再生される際の再生開始位置に設定し、
前記通信処理部は、前記情報機器から映像データを要求された場合に、前記再生開始位置設定処理部により設定された再生開始位置から後の映像データを前記情報機器に送信する
ことを特徴とするエレベータ乗かご内監視装置。
【請求項２】
請求項１に記載のエレベータ乗かご内監視装置において、
前記所定時間前は、前記乗かご内にいる保守点検作業の作業者の様子の映像データを、前記再生開始位置に規定する
ことを特徴とするエレベータ乗かご内監視装置。
【発明の詳細な説明】
【技術分野】
【０００１】
本発明は、監視カメラにより撮影されたものを記録媒体に記録する記録装置を備えるエレベータ乗かご内監視装置に関する。
【背景技術】
【０００２】
特許文献１には、エレベータ用防犯カメラシステムが開示されている。このエレベータ用防犯カメラシステムにおいて、エレベータかご内に設置されたカメラで撮影された映像データは、カメラ制御装置により保存および出力される。カメラ制御装置のハードディスクに保存されたデジタル映像データを確認するためには、コンピュータとかご内操作盤のモジュラージャックとを通信ケーブルにより接続する。コンピュータはカメラ制御装置と通信を行い、カメラ制御装置のハードディスクに保存されたデジタル映像データをコンピュータの表示装置に再生することができる。
【先行技術文献】
【特許文献】
【０００３】
【特許文献１】特開２００３−４０５４２号公報
【発明の概要】
【発明が解決しようとする課題】
【０００４】
エレベータ乗かご内監視装置に対する保守点検作業には、記録媒体に記録された映像データを再生し、再生された映像データを見ることによって乗かご内の様子が適切に記録されているか否かを確認することが含まれる。その映像の確認時には、記録媒体に記録された映像データを再生する前に、その映像データの再生開始位置を設定する必要がある。
【０００５】
映像の確認を乗かご内で行う場合、作業者は記録装置に情報機器を接続して、記録媒体に記録されている映像データを情報機器で再生し、この情報機器の表示装置に表示させる。このとき、乗かご内の様子が適切に記録されているか否かの確認に適した映像は、人が乗かご内で何らかの動作を行っている様子を含む映像である。作業者は自分を含む映像が表示されるよう再生開始位置を設定することができれば、確認に適した映像を表示させることができる。
【０００６】
特許文献１に開示されたエレベータ用防犯カメラシステムは、乗かご内の様子が適切に記録されているか否かの確認に適した映像データの再生開始位置を設定することを考慮されたものではない。
【０００７】
本発明は前述の事情を考慮してなされたものであり、その目的は、乗かご内の様子が適切に記録されているか否かの確認に適した映像データの再生開始位置を、自動的に設定することができるエレベータ乗かご内監視装置を提供することにある。
【課題を解決するための手段】
【０００８】
前述の目的を達成するために本発明に係るエレベータ乗かご内監視装置は次のように構成されている。
【０００９】
本発明に係るエレベータ乗かご内監視装置は、乗かご内の様子を撮影信号に変換して出力する監視カメラと、この監視カメラから出力された撮影信号を映像データに変換して記録媒体に記録する記録装置とを備えるエレベータ乗かご内監視装置において、前記記録装置は、情報機器と通信可能に接続されたことを検知する通信処理部と、前記記録媒体に記録された映像データの再生開始位置を設定する再生開始位置設定処理部とを備え、前記再生開始位置設定処理部は、前記記録装置と前記情報機器との通信可能な接続が前記通信処理部により検知された時点から所定時間前に前記記録媒体に記録された映像データを、前記記録媒体に記録された映像データが前記情報機器により再生される際の再生開始位置に設定することを特徴とする。
【発明の効果】
【００１０】
本発明に係るエレベータ乗かご内監視装置において、再生開始位置設定処理部は、記録装置と情報機器との通信可能な接続が通信処理部により検知された時点から所定時間前に記録媒体に記録された映像データを、記録媒体に記録された映像データが情報機器により再生される際の再生開始位置に設定する。監視カメラにより撮影された乗かご内の様子が適切なものである場合、情報機器に表示される映像には、記録装置と情報機器とを通信可能に接続する様子等、保守点検作業を行う作業者の様子の映像が含まれている。したがって、作業者は、保守点検作業を行う自分の様子が適切に映っているか否かを確認することによって、乗かご内の様子が適切に記録されているか否かを確認することができる。このことから、本発明に係るエレベータ乗かご内監視装置は、乗かご内の様子が適切に記録されているか否かの確認に適した映像データの再生開始位置を、自動的に設定することができる。
【図面の簡単な説明】
【００１１】
【図１】本発明の一実施形態に係るエレベータ乗かご内監視装置の概略図である。
【図２】図１に示したエレベータ乗かご内監視装置に備えられる記録装置の斜視図である。
【図３】図１に示したエレベータ乗かご内監視装置のブロック図である。
【図４】エレベータ乗かご内監視装置の保守点検作業において、作業者が行うことと、保守端末装置が行うことと、記録装置が行うこととの関係を示すフローチャートである。
【発明を実施するための形態】
【００１２】
本発明の実施形態に係るエレベータ乗かご内監視装置について図１〜図４を用いて説明する。
【００１３】
図１に示すように、乗かご１の出入口（図示省略）の側方の壁には、かご内操作盤１０が設けられている。
【００１４】
かご内操作盤１０は、乗かご１内において乗客に操作されるスイッチが設けられた乗客用操作領域１０ａと、この乗客用操作領域１０ａの下方に位置し、エレベータの保守点検作業を行う作業者およびエレベータの管理者等の乗客以外のエレベータ関係者に操作されるスイッチが設けられた関係者用操作領域１０ｂと、関係者用操作領域１０ｂを覆い隠す施錠可能な扉２０とを有する。
【００１５】
乗客用操作領域１０ａに設けられたスイッチは、複数の行先階登録ボタンスイッチ１１、ドア開ボタンスイッチ１２、ドア閉ボタンスイッチ１３等である。行先階登録ボタンスイッチ１１、ドア開ボタンスイッチ１２およびドア閉ボタンスイッチ１３は何れも、押ボタンスイッチである。
【００１６】
行先階登録ボタンスイッチ１１は、操作ボタンを押圧操作されることによってかご呼びを行う。ドア開ボタンスイッチ１２は、操作ボタンを押圧されることによってかごドアと乗場ドアを開くことを指令するドア開指令信号を出力するものである。ドア閉ボタンスイッチ１３は、操作ボタンを押圧操作されることによってかごドアと乗場ドアを閉めることを指令するドア閉指令信号を出力するものである。
【００１７】
関係者用操作領域１０ｂに設けられたスイッチは、例えば低速走行スイッチ２１および空調スイッチ２２であり、これら低速走行スイッチ２１および空調スイッチ２２は何れもロッカースイッチ（シーソースイッチ）である。
【００１８】
低速走行スイッチ２１は、操作ボタンの一端側を押圧操作されることによってオン状態となり、操作ボタンの他端側を押圧操作されることによってオフ状態になる。この低速走行スイッチ２１のオン状態は、乗かご１の走行速度が通常よりも低速に制御される状態であり、低速走行スイッチ２１のオフ状態は、乗かご１の走行速度が乗客を輸送する走行速度である通常速度に制御される状態である。
【００１９】
空調スイッチ２２も、操作ボタンの一端側を押圧操作されることによってオン状態となり、操作ボタンの他端側を押圧操作されることによってオフ状態になる。この空調スイッチ２２のオン状態は、換気扇（図示省略）および空調装置（図示省略）を作動させる状態であり、空調スイッチ２２のオフ状態は換気扇および空調装置を停止させる状態である。
【００２０】
同図１に示すように、本実施形態に係るエレベータ乗かご内監視装置３０は、乗かご１の上部、例えば天井１ａに設けられ、乗かご１内の様子を撮影信号に変換して出力する監視カメラ４０と、かご内操作盤１０の関係者操作領域１０ｂに収容され、監視カメラ４０から出力された撮影信号を映像データに変換して、記録媒体であるＳＤカード５５（図２に示す）に記録する記録装置５０とを備える。
【００２１】
図２，図３に示すように、記録装置５０は、ＳＤカード５５が着脱可能に装着されるカードコネクタ５１と、カードコネクタ５１からのＳＤカード５５の取出しの際に押圧操作されるイジェクトボタンスイッチ５２と、ＬＥＤランプから成る表示灯５３と、通信ケーブル７１が接続される通信ポート５４と、制御装置６０とを備える。
【００２２】
カードコネクタ５１は、ＳＤカード５５を装着された状態において、この状態を示す装着信号（電気信号）を制御装置６０に対して出力する。カードコネクタ５１は、ＳＤカード５５を装着されてない状態においては装着信号を出力しない。イジェクトボタンスイッチ５２は、押圧操作されたときに、操作信号（電気信号）を出力するものである。
【００２３】
制御装置６０はＣＰＵ、ＲＡＭ、ＲＯＭを備え、ＲＯＭに書き込まれたコンピュータプログラムをＣＰＵで実行することによって記録装置５０の制御に係る処理を行うものである。この制御装置６０は、コンピュータプログラムにより設定された機能部として、装着判定部６１、録画処理部６２、イジェクト操作検知部６３、点検処理部６４、通信処理部６５、再生開始位置設定処理部６６、表示処理部６７を備える。これらの機能部について説明していく。
【００２４】
装着判定部６１は、カードコネクタ５１にＳＤカード５５が装着された状態であるか否かの判定を行うものである。この装着判定部６１は、制御装置６０に装着信号が入力されている状態を、カードコネクタ５１にＳＤカード５５が装着された状態であると判定し制御装置６０に装着信号が入力されていない状態を、カードコネクタ５１にＳＤカード５５が装着された状態でないと判定する。
【００２５】
録画処理部６２は、カードコネクタ５１にＳＤカード５５が装着された状態であると装着判定部６１により判定された状態において、監視カメラ４０から出力された撮影信号を映像データに変換してＳＤカード５５に記録するもの、すなわち、監視カメラ４０により撮影された乗かご１内の様子を録画するものである。
【００２６】
イジェクト操作検知部６３は、イジェクトボタンスイッチ５２の押圧操作を検知するものである。このイジェクト操作検知部６３は、イジェクトボタンスイッチ５２からの操作信号が制御装置６０に入力されたことを、イジェクトボタンスイッチ５２が押圧操作されたこととして検知する。なお、イジェクト操作検知部６３によりイジェクトボタンスイッチ５２の押圧操作が検知されたことに基づき、録画処理部６２はＳＤカード５５への録画を停止する。
【００２７】
点検処理部６４は、予め設定された点検項目に基づいて記録装置５０を点検し、点検の結果すなわち、異常の有無と、異常有りの場合における異常の種類を異常データとしてＳＤカード５５に記録するものである。
【００２８】
通信処理部６５は、通信ポート５４に保守端末装置７０（情報機器）が接続されたことを検知するとともに、保守端末装置７０と通信を行うものである。保守端末装置７０は、エレベータ乗かご内監視装置３０の作業者１００に携帯される情報機器であり、映像の表示が可能な表示装置７０ａを含むヒューマンインターフェースを備える。この保守端末装置７０は、記録装置５０と通信可能に接続された状態において、一定周期で接続信号を記録装置５０に送信する。通信処理部６５は、保守端末装置７０からの接続信号を制御装置６０が受信したことを、記録装置５０が保守端末装置７０と通信可能に接続された状態として検知し、その接続信号に対する応答信号を保守端末装置７０に送信する。また、通信処理部６５は、制御装置６０による接続信号の受信が一定周期を超えて途絶えたことを、記録装置５０と保守端末装置７０との通信が切断された状態として検知する。また、通信処理部６５は、保守端末装置７０から記録装置５０に要求されたデータを保守端末装置７０に送信する。保守端末装置７０から記録装置５０に要求されるデータは、映像データおよび異常データである。
【００２９】
再生開始位置設定処理部６６は、記録装置５０と保守端末装置７０との通信可能な接続が通信処理部６５により検知された時点から所定時間前（例えば１分前）にＳＤカード５５に記録された映像データを、ＳＤカード５５に記録された映像データが保守端末装置７０により再生される際の再生開始位置に設定するものである。再生開始位置設定処理部６６による再生開始位置の設定は、ＳＤカード５５に記録された映像データを、乗かご１内にいる作業者１００の様子の映像データから再生することを意図して行われることであり、したがって、その意図が満たされれば再生開始位置を規定する所定時間は１分より長くても短くてもよい。ただし、その所定時間は作業者が乗かご１に搭乗する前の映像を含まない範囲で設定されるものである。
【００３０】
表示処理部６７は、表示灯５３を制御するものである。この表示処理部６７は、ＳＤカード５５がカードコネクタ５１に装着された状態であると装着判定部６１により判定されている間、表示灯５３を点灯した状態に維持する。また、表示処理部６７は、イジェクトボタンスイッチ５２に対する押圧操作がイジェクト操作検知部６３により検知された時点から、ＳＤカード５５がカードコネクタ５１に装着された状態でないと装着判定部６１により判定されるまでの間、表示灯５３を点滅した状態に維持する。また、表示処理部６７は、ＳＤカード５５がカードコネクタ５１に装着された状態でないと装着判定部６１により判定されている間、表示灯５３を消灯した状態に維持する。
【００３１】
エレベータ乗かご内監視装置３０に対する保守点検作業において、作業者１００が行うことと、保守端末装置７０が行うことと、記録装置５０が行うこととの関係を、図４を用いて説明する。
【００３２】
図４に示すように、ステップＳａ１において作業者１００が保守端末装置７０と記録装置５０とを通信ケーブル７１を介して通信可能に接続すると、ステップＳｂ２において保守端末装置７０は接続信号を記録装置５０に送信する。これに伴い、ステップＳｃ１において記録装置５０の通信処理部６５は、保守端末装置７０からの接続信号が制御装置６０により受信されたことを、記録装置５０と保守端末装置７０とが通信可能に接続されたこととして検知し、このことに基づき、次のステップＳｃ２において接続信号に対する応答信号を保守端末装置７０に送信する。
【００３３】
次に、ステップＳｂ２において保守端末装置７０は、記録装置５０からの応答信号を受信したことに基づき、記録装置５０との通信の接続を確立する。
【００３４】
また、ステップＳｃ３において記録装置５０の録画処理部６２は、保守端末装置７０と記録装置５０との通信可能な接続が通信処理部６５により検知されたことに基づき、ＳＤカード５５への録画を停止する。
【００３５】
次に、ステップＳｃ４において記録装置５０の再生開始位置設定処理部６６は、記録装置５０と保守端末装置７０との通信可能な接続が通信処理部６５により検知された時点から１分前にＳＤカード５５に記録された映像データを、ＳＤカード５５に記録された映像データが保守端末装置７０により再生される際の再生開始位置に設定する。
【００３６】
前述のステップＳｂ２において保守端末装置７０と記録装置５０との通信の接続が確立された後、ステップＳａ２において作業者１００は、記録装置５０の異常データを保守端末装置７０に表示させる操作を、保守端末装置７０に対して行う。これにより、ステップＳｂ３において保守端末装置７０は記録装置５０に異常データを要求する。
【００３７】
ステップＳｃ５において記録装置５０の通信処理部６５は、ステップＳｂ３における保守端末装置７０からの異常データの要求に応答し、ＳＤカード５５に記録された異常データを保守端末装置７０に送信する。そして、ステップＳｂ４において保守端末装置７０は、ステップＳｃ５において記録装置５０から送信されてきた異常データを保存し、ステップＳｂ５において異常データを所定の態様で表示する。記録装置５０に異常があった場合には、異常データは異常の種類を示すコード（エラーコード等）の形で、保守端末装置７０に表示される。
【００３８】
次に、ステップＳａ３において作業者１００は、ステップＳｂ５において保守端末装置７０により所定の態様で表示された異常データを確認する。
【００３９】
異常データの確認後、ステップＳａ４において作業者１００は、映像データを保守端末装置７０に表示させる操作を、保守端末装置７０に対して行う。これにより、ステップＳｂ６において保守端末装置７０は記録装置５０に映像データを要求する。ここで、映像データを保守端末装置７０に表示させる操作は、例えば、作業者にとって異常データの確認を完了したことを確定する操作である。
【００４０】
ステップＳｃ６において記録装置５０の通信処理部６５は、ステップＳｂ６における保守端末装置７０からの映像データの要求に応答し、ＳＤカード５５に記録された映像データのうち、ステップＳｃ４において設定した再生開始位置から後の映像データを、保守端末装置７０に送信する。そして、ステップＳｂ７において保守端末装置７０は、ステップＳｃ６において記録装置５０から送信されてきた映像データを保存し、ステップＳｂ８において映像データを再生して表示する。
【００４１】
ステップＳａ５において作業者１００は、保守端末装置７０に表示された映像を確認する。監視カメラ４０により撮影された乗かご１内の様子が適切なものである場合、保守端末装置７０に表示される映像には、記録装置５０と保守端末装置７０とを通信ケーブル７１を介して接続する様子等、保守点検作業を行う作業者の様子が含まれている。作業者１００は、乗かご１内で保守点検作業を行う自分の様子が適切に映っているか否かを確認することによって、乗かご１内の様子が適切に記録されているか否かを確認する。
【００４２】
映像データの確認後、ステップＳａ６において作業者１００は、記録装置５０と保守端末装置７０との通信を切断する操作を行い、次のステップＳａ７において作業者は通信ケーブル７１を通信ポート５４から取り外す。
【００４３】
ステップＳａ６において作業者１００が記録装置５０と保守端末装置７０との通信を切断する操作を行うことによって、ステップＳｂ９において保守端末装置７０は記録装置５０への接続信号の送信を停止する。これに伴い、ステップＳｃ７において記録装置５０の通信処理部６５は、保守端末装置７０から制御装置６０への接続信号が一定周期を超えて途絶えたことを、保守端末装置７０と記録装置５０との通信が切断されたこととして検知する。このことに基づき、ステップＳｃ８において記録装置５０の録画処理部６２は、ＳＤカード５５への録画を再開する。
【００４４】
本実施形態に係るエレベータ乗かご内監視装置３０によれば次の効果を得られる。
【００４５】
本実施形態に係るエレベータ乗かご内監視装置３０において、記録装置５０の再生開始位置設定処理部６６は、記録装置５０と保守端末装置７０との通信可能な接続が通信処理部６５により検知された時点から所定時間前（１分前）にＳＤカード５５に記録された映像データを、ＳＤカード５５に記録された映像データが保守端末装置７０により再生される際の再生開始位置に設定する。監視カメラ４０により撮影された乗かご１内の様子が適切なものである場合、保守端末装置７０に表示される映像には、記録装置５０と保守端末装置７０とを通信ケーブル７１を介して接続する様子等、保守点検作業を行う作業者の様子の映像が含まれている。したがって、作業者１００は、保守点検作業を行う自分の様子が適切に映っているか否かを確認することによって、乗かご１内の様子が適切に記録されているか否かを確認することができる。このことから、本実施形態に係るエレベータ乗かご内監視装置３０は、乗かご１内の様子が適切に記録されているか否かの確認に適した映像データの再生開始位置を、自動的に設定することができる。
【００４６】
本実施形態に係るエレベータ乗かご内監視装置３０において、ＳＤカード５５に記録された映像データの再生開始位置を規定する所定時間は、乗かご１内にいる保守点検作業の作業者の様子の映像データを、再生開始位置に規定するものである。これにより、乗かご１内の様子が適切に記録されているか否かの確認に最適な映像データを、保守端末装置７０に表示させることができる。
【００４７】
前述の実施形態に係るエレベータ乗かご内監視装置３０において、記録装置５０はＳＤカード５５が装着されるカードコネクタ５１を装着部として備えるものであるが、本発明における装着部はＳＤカードが装着されるカードコネクタに限定されるものではなく、ＳＤカード以外の記録媒体が装着されるものであってもよい。
【符号の説明】
【００４８】
１  乗かご
３０  エレベータ乗かご内監視装置
４０  監視カメラ
５０  記録装置
５４  ＳＤカード（記録媒体）
６２  制御装置
６５  通信処理部
６６  再生開始位置設定処理部
７０  保守端末装置
７０ａ  表示装置
【図１】
2015016918.tif 000003
【図２】
2015016918.tif 000004
【図３】
2015016918.tif 000005
【図４】
2015016918.tif 000006